(57)【要約】【課題】熱湯等の内容物の熱に影響されることなく、素手で容器を取り扱うことを可能にすることを技術的課題とし、もって利便性、安全性に優れた断熱容器を提供することを目的とする。【解決手段】容器本体と、この容器本体の胴部部分を巻回状に外装する、外層フィルムと内層フィルムから成り、この両フィルムの間に空気室の形成を可能に逆止弁付きの空気吹き込み口を付設した袋状のラベルと、から構成すること、にある。【選択図】　　　　　　　　図１
2004001849.tif 000002
【特許請求の範囲】
【請求項１】
容器本体（１）と、該容器本体（１）の胴部（２）部分を巻回状に外装する、外層フィルム（５）と内層フィルム（６）から成り、該両フィルムの間に空気室（１１）の形成を可能に逆止弁（９）付きの空気吹き込み口（８）を付設した袋状のラベル（７）と、から構成される断熱容器。
【請求項２】
空気室（１１）全体が連通した状態で、外層フィルム（５）と内層フィルム（６）をシールする帯状のシール部（１２）を形成した、請求項１記載の断熱容器。
【請求項３】
容器本体（１）が外表面の全周に亘って縦縞状のリブ（３）を形成し、ラベル（７）が該リブ（３）の頂部に対向する位置に縦帯状のシール部（１２）を形成し前記容器本体（１）を外装する構成とした、請求項２記載の断熱容器。
【発明の詳細な説明】
【０００１】
【発明の属する技術分野】
本発明は、胴部に断熱と保温機能を付与した容器に関する。
【０００２】
【従来の技術】
コーヒーを注いだり、カップ麺、インスタント味噌汁等のようにその中に熱湯を注入して調理してから食べたり飲んだりするのに用いる容器には、素手で持ったときに熱くないような断熱の機能と内容物の温度の低下を抑制する保温機能が要求されるが、このような用途には従来発泡スチロールで成形された容器が用いられている。
【０００３】
また、特開平６−３２３７９号公報に、容器本体の外周面の全部又は、一部に突起を形成し、この突起の外側に熱収縮性プラスチックフィルムを外装し、熱をかけて当該プラスチックフィルムを収縮させることにより容器本体の外周に密着させると共に、突起間に断熱保温空間を形成して断熱容器を構成する技術が開示されている。
【０００４】
【発明が解決しようとする課題】
しかしながら、上記した従来使用されている発泡スチロール製容器あるいは特開平６−３２３７９に記載のある容器においても、熱湯を注入した直後等には素手で掴持することができない場合が多々ある、とう云う問題あった。
【０００５】
そこで、本発明は上記した従来技術における問題点を解消すべく創案されたもので、熱湯等の内容物の熱に影響されることなく、素手で容器を取り扱うことを可能にすることを技術的課題とし、もって利便性、安全性に優れた断熱容器を提供することを目的とする。
【０００６】
【課題を解決するための手段】
上記技術的課題を解決する手段のうち、請求項１記載の発明の手段は、容器本体と、この容器本体の胴部部分を巻回状に外装する、外層フィルムと内層フィルムから成り、この両フィルムの間に空気室の形成を可能に逆止弁付きの空気吹き込み口を付設した袋状のラベルと、から構成すること、にある。
【０００７】
請求項１記載の上記構成により、両フィルム間に空気を吹き込まない状態ではラベルは通常のラベルと同様のたとえば商品名の表示、容器の装飾等の機能を果たす。
【０００８】
必要に応じて空気吹き込み口より空気を吹き込むと、外層フィルムと内層フィルムの間に空気が進入し空気室が形成され、さらに逆止弁の作用により空気室が形成された状態で保持されるので、この空気室が優れた断熱効果を発揮し、熱湯等の内容物の熱に影響されることなく素手で容器を取り扱うことができ、また内容物の温度の低下を抑制することができる。
【０００９】
請求項２記載の発明の手段は、請求項１記載の発明において、空気室全体が連通した状態で、外層フィルムと内層フィルムをシールする帯状のシール部を形成すること、にある。
【００１０】
請求項２記載の上記構成により、シール部が空気を吹き込んだ際における外層フィルムと内層フィルムの変形に係る結節部分となり、空気室が凸凹を有する形状に形成される。
【００１１】
ここで空気室の凸部分では素手による掴持の際の指等の押圧による外層フィルムの凹み変形が抑制さるので、指等で抑えた部分の空気が他の部分に逃げてその部分で外層フィルムが内層フィルムに接触して指等に熱が伝わるという現象を効果的に抑制することができる。
【００１２】
請求項３記載の発明の手段は、請求項２の発明において、容器本体が外表面の全周に亘って縦縞状のリブを形成し、ラベルがこのリブの頂部に対向する位置に縦帯状のシール部を形成し容器本体を外装する構成とすること、にある。
【００１３】
請求項３記載の上記構成により、空気吹き込み口から空気を吹き込むと、リブの頂点に位置し、縦方向に形成されたシール部を結節部分かつ固定部分とし、外層フィルムは隣接するリブ間において外側に向かって、内層フィルムは隣接するリブ間に形成された凹部に向かうように変形する。
【００１４】
上記変形様態の結果として、容器本体の全周に沿って多数の略チューブ状の空間を縦方向に配列しながら空気室が形成され、この形状は指等による押圧によって潰れ難い形状であると共に、十分な断熱効果が得られ、さらに素手で掴持するのにちょうど持ちやすい形状となる。
【００１５】
本願発明の断熱容器を使用する際の空気の吹き込み方法は特に限定されるものではないが、例えば店頭で空気を吹き込んでから販売する場合には、空気ボンベ等から吹き込んでもよいし、購入者が必要な時に口から空気を吹き込めるようすることもできる。
【００１６】
袋状のラベルは２枚のフィルム片を重ねて周辺をヒートシールする方法、インフレーション成形で得た円筒状のフィルムを２つ折りにして適宜な大きさに切断後その切断した２辺をヒートシールする方法等がある。
【００１７】
ラベルを形成するフィルムは特に限定されるものではないが、容器本体の形状等によっては熱収縮性を有したＰＥＴ（ポリエチレンテレフタレート）、ＰＳ（ポリスチレン）、ＰＶＣ（ポリ塩化ビニル）、ＰＰ（ポリプロピレン）、ＰＥ（ポリエチレン）フィルム等、あるいはストレッチ性を有したＰＥＴ、ＰＢ（ポリブチレン）、ＰＶＣ、ＰＶＤ（ポリ塩化ビニリデン）フィルム等を使用することにより容器本体の外表面をたるみなく外装することができる。
【００１８】
【発明の実施の形態】
以下、本発明の実施の形態を図面を参照しながら説明する。
図１〜図３は本発明の断熱容器の第１実施例を示すものであり、図１は容器本体１とラベル７を分解した状態と、空気を吹き込んだ状態を示したものである。
【００１９】
容器本体１は熱成形法によって成形された合成樹脂製の容器であり、円筒状の胴部２には上部の部分を除いて、底部に至るまで縦縞状に多数のリブ３が形成されている。
【００２０】
ラベル７は熱収縮性の矩形状の合成樹脂製フィルムを２枚重ねて、その４辺をヒートシール、上辺の中央部に内部に逆止弁９を設けた空気吹き込み口８を熱溶着により付設したものであり、また縦方向に容器本体１のリブ３の本数、間隔に合わせて、上下の部分を除いた領域にヒートシールにより多数の縦帯状のシール部１２が形成されている。
【００２１】
上記ラベル７の左右端部を重ねてヒートシールして円筒状として、それぞれの縦帯状のシール部１２の位置を容器本体１の各リブ３の頂部に合わせるようにして、容器本体１の胴部２を外装する。このように外装した状態で熱風あるいは熱雰囲気中に挿入することにより、フィルムを熱収縮させると、図２に示したような状態で外装フィルム５および内層フィルム６からなるラベル７がリブ３の頂部に密着した状態で胴部２を外装する。
【００２２】
この状態から、口からあるいは空気ボンベ等から空気を吹き込むと、空気室１１が膨らんで、図１、図３に示したような形状となり、外装フィルム５は隣接するリブ３の間で外側に膨らむ。
【００２３】
また、内層フィルム６は隣接するリブ３が形成する凹部４の形に沿うように変形するので、空気を吹き込む際にシール部１２とリブ３の頂点の位置がずれることなく安定した形状を保持することができる。
【００２４】
上記外層フィルム５と内層フィルム６の変形の結果として、容器本体１の全周に沿って多数の略チューブ状の空間を縦方向に配列しながら空気室１１が形成され、この形状は指等による押圧によって潰れ難い形状であると共に、十分な断熱効果が得られ、さらに素手で掴持するのにちょうど持ちやすい形状となる。
【００２５】
なお、上記第１実施例では、リブ３の頂部にラベル７を密着して外装するために熱収縮性のフィルムを用いたが、本発明に用いるフィルムは熱収縮性フィルムに限定されるものでなく、容器本体の形状等に合わせて使用するフィルムを選択して使用することができる。
【００２６】
図４は本発明の断熱容器の第２実施例であり、合成樹脂製のコーヒー用カップの周囲を内部に逆止弁９を設けた空気吹き込み口８を有する袋状のラベル７により容器本体１の胴部２を外装したものである。
【００２７】
このラベル７では第１実施例で見られたシール部１２はないが、ラベルの高さ方向の幅を比較的狭くすることにより、手で掴持した際に、指等の押圧が加わった部分の空気層が簡単に潰れないようにしている。
【００２８】
なお、第１実施例および第２実施例では容器本体１を合成樹脂製としたが、本発明の構成によれば容器本体１が金属製あるいは陶器製である場合においても本発明の効果が十分に発揮される。
【００２９】
【発明の効果】
本発明は上記した構成としたので、以下に示す効果を奏する。
請求項１記載の発明にあっては、使用前には通常のラベルとしての機能を果たし、空気を吹き込むことにより空気室が優れた断熱効果を発揮し、熱湯等の内容物の熱に影響されることなく素手で容器を取り扱うことができ、また内容物の温度の低下を抑制することができる。
【００３０】
請求項２記載の発明にあっては、空気室に帯状の多数のシール部を設けることにより、空気室が凸凹を有する形状となり、掴持する際の指等による凹みが抑制され、素手での取り扱い性をより良好に確保できる。
【００３１】
請求項３記載の発明にあっては、容器本体の全周に沿って多数の略チューブ状の空間を縦方向に配列しながら空気室が形成されるので、指等の押圧による潰れがなく、十分な断熱効果が得られ、さらに素手で掴持するのにちょうど持ちやすい形状となる。
【００３２】
また、内層フィルム６は隣接する容器本体のリブ３によって形成される凹部に沿った形状に変形するので、空気吹き込みによってラベルがずれることなく安定した形状を保持することができる。
【図面の簡単な説明】
【図１】本発明の断熱容器の第１実施例の分解した状態、および空気室に空気を吹き込んだ状態を全体斜視して示す、説明図。
【図２】本発明の断熱容器の第１実施例において、ラベルの外装状態を胴部の一部を拡大して示す、平断面図。
【図３】図２において、空気室に空気を吹き込んだ状態を示す、平断面図。
【図４】本発明の断熱容器の第２実施例を示す、全体斜視図。
【符号の説明】
１　；　容器本体
２　；　胴部
３　；　リブ
４　；　凹部
５　；　外層フィルム
６　；　内層フィルム
７　；　ラベル
８　；　空気吹きこみ口
９　；　逆止弁
１１　；　空気室
１２　；　シール部
【図１】
2004001849.tif 000003
【図２】
2004001849.tif 000004
【図３】
2004001849.tif 000005
【図４】
2004001849.tif 000006